(57)【要約】【課題】指定を受け付ける画像の表示形態を平面表示と立体表示との何れかに好適に決定する表示制御装置、表示制御方法、コンピュータプログラム、及び、記録媒体を提供すること。【解決手段】一又は複数のシンボル画像を有する表示画面を表示部３２に表示させ、前記シンボル画像に対する指定を受け付ける表示制御装置において、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶する情報記憶部２０と、前記シンボル表示情報による表示形態が、前記画面表示情報の表示形態と異なるシンボル画像を、該シンボル表示情報による表示形態で表示することを決定する決定部１２とを有する。【選択図】図１
2012238037.tif 000002
【特許請求の範囲】
【請求項１】
一又は複数のシンボル画像を有する表示画面を表示部に表示させ、前記シンボル画像に対する指定を受け付ける表示制御装置において、
表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶する情報記憶部と、
前記シンボル表示情報による表示形態が、前記画面表示情報の表示形態と異なるシンボル画像を、該シンボル表示情報による表示形態で表示することを決定する決定部と
を有することを特徴とする表示制御装置。
【請求項２】
前記表示画面は、前記シンボル表示情報が対応づけられていないシンボル画像を有し、
前記決定部は、前記シンボル表示情報が対応づけられていないシンボル画像を、前記画面表示情報の表示形態で表示することを決定するように構成してあることを特徴とする請求項１に記載の表示制御装置。
【請求項３】
前記決定部は、前記表示画面が有するシンボル画像の数が所定数以下の場合に、前記情報記憶部が記憶する表示形態の情報に関わらず、前記表示部に表示する表示画面が有する指定を受け付けたシンボル画像の表示形態が、指定を受け付ける前の表示形態と異なる表示形態で表示することを決定するように構成してあることを特徴とする請求項１又は２に記載の表示制御装置。
【請求項４】
前記決定部は、前記表示画面が有するシンボル画像の数が所定数を超える場合に、前記情報記憶部が記憶する表示形態の情報に関わらず、該表示画面に表示するシンボル画像の表示形態を平面表示にするように構成してあることを特徴とする請求項１又は２に記載の表示制御装置。
【請求項５】
一又は複数のシンボル画像を有する表示画面を表示部に表示させ、前記シンボル画像に対する指定を受け付ける表示制御方法において、
表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出すステップと、
前記シンボル表示情報による表示形態が、前記画面表示情報の表示形態と異なるシンボル画像を、該シンボル表示情報による表示形態で表示することを決定するステップと
を有することを特徴とする表示制御方法。
【請求項６】
表示装置に一又は複数のシンボル画像を表示させる表示制御をコンピュータに実行させるためのコンピュータプログラムであって、
表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出すステップと、
前記シンボル表示情報による表示形態が、前記画面表示情報の表示形態と異なるシンボル画像を、該シンボル表示情報による表示形態で表示することを決定するステップと
を前記コンピュータに実行させるためのコンピュータプログラム。
【請求項７】
請求項６記載のコンピュータプログラムを記録したことを特徴とするコンピュータに読み取り可能な記録媒体。
【発明の詳細な説明】
【技術分野】
【０００１】
本発明は、シンボル画像を含む表示画面を表示させる表示制御装置、表示制御方法、コンピュータプログラム、及び、記録媒体に関する。
【背景技術】
【０００２】
従来、タッチパネル式の液晶ディスプレイによるユーザインタフェースを搭載した装置がある。複写装置、及び、ＭＦＰ複合機では、液晶ディスプレイに表示されているアイコンを、操作者がタッチパネルから指定することにより、コピー、及び、ファクシミリ等の設定や指示の入力を行う。また、液晶ディスプレイには、印刷前の画像データが表示される。カラーの液晶ディスプレイは、モノクロディスプレイよりも高級感が増し、画像データが、実際に印刷された画像により近い状態で表示される。
【０００３】
ところで、テレビジョン受像機では、液晶ディスプレイやプラズマディスプレイが用いられ、映像を、平面表示ではなく、立体表示により表示することにより、臨場感を高めている。
【０００４】
特許文献１には、印刷装置の全体又は一部の三次元画像を表示し、印刷設定情報を表すアニメーション動画を表示する印刷装置等が記載されている。また、特許文献２には、２Ｄ表示を終了する指示が入力された場合、及び、２Ｄ表示がされたまま所定時間が経過した場合に、２Ｄ表示から３Ｄ表示に切り替わる立体画像表示装置が記載されている。なお、特許文献の「２Ｄ表示」及び「３Ｄ表示」は、それぞれ、「平面表示」及び「立体表示」に対応する。
【先行技術文献】
【特許文献】
【０００５】
【特許文献１】特開２００４−２３０８３６号公報
【特許文献２】特開２０１１−２９７０１号公報
【発明の概要】
【発明が解決しようとする課題】
【０００６】
しかしながら、平面表示と立体表示との何れがより見易いかは、表示する画像によって異なる。タッチパネル式の液晶ディスプレイに表示されるアイコンは、操作者による指定を受け付けるために表示される。そこで、アイコンを平面表示と立体表示との何れで表示するかは、操作者による指定がなされることなく好適に選択されることが望ましい。
【０００７】
本発明は斯かる事情に鑑みてなされたものであり、指定を受け付ける画像の表示形態を平面表示と立体表示との何れかに好適に決定する表示制御装置、表示制御方法、コンピュータプログラム、及び、記録媒体を提供することを目的とする。
【課題を解決するための手段】
【０００８】
本発明に係る表示制御装置は、一又は複数のシンボル画像を有する表示画面を表示部に表示させ、前記シンボル画像に対する指定を受け付ける表示制御装置において、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶する情報記憶部と、前記シンボル表示情報による表示形態が、前記画面表示情報の表示形態と異なるシンボル画像を、該シンボル表示情報による表示形態で表示することを決定する決定部とを有することを特徴とする。
【０００９】
本発明にあっては、情報記憶部が、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶する。決定部が、前記シンボル表示情報による表示形態が、前記画面表示情報の表示形態と異なるシンボル画像を、該シンボル表示情報による表示形態で表示することを決定する。
これにより、シンボル画像の平面表示と立体表示とを好適に決定することができる。
【００１０】
また、本発明に係る表示制御装置は、前記表示画面は、前記シンボル表示情報が対応づけられていないシンボル画像を有し、前記決定部は、前記シンボル表示情報が対応づけられていないシンボル画像を、前記画面表示情報の表示形態で表示することを決定するように構成してあることを特徴とする。
【００１１】
本発明にあっては、前記表示画面は、前記シンボル表示情報が対応づけられていないシンボル画像を有する。前記決定部が、前記シンボル表示情報が対応づけられていないシンボル画像を、前記画面表示情報の表示形態で表示することを決定する。
これにより、表示画面が有する全てのシンボル画像にシンボル表示情報を対応づけることなく、シンボル画像の平面表示と立体表示とを好適に決定することができる。
【００１２】
また、本発明に係る表示制御装置は、前記決定部は、前記表示画面が有するシンボル画像の数が所定数以下の場合に、前記情報記憶部が記憶する表示形態の情報に関わらず、前記表示部に表示する表示画面が有する指定を受け付けたシンボル画像の表示形態が、指定を受け付ける前の表示形態と異なる表示形態で表示することを決定するように構成してあることを特徴とする。
【００１３】
本発明にあっては、前記表示画面が有するシンボル画像の数が所定数以下の場合に、前記決定部は、前記情報記憶部が記憶する表示形態の情報に関わらず、前記表示部に表示する表示画面が有する指定を受け付けたシンボル画像の表示形態が、指定を受け付ける前の表示形態と異なる表示形態で表示することを決定する。
これにより、指定を受け付けたシンボル画像を視覚的に判りやすく表示させることができる。
【００１４】
また、本発明に係る表示制御装置は、前記決定部は、前記表示画面が有するシンボル画像の数が所定数を超える場合に、前記情報記憶部が記憶する表示形態の情報に関わらず、該表示画面に表示するシンボル画像の表示形態を平面表示にするように構成してあることを特徴とする。
【００１５】
本発明にあっては、前記決定部が、前記表示画面が有するシンボル画像の数が所定数を超える場合に、前記情報記憶部が記憶する表示形態の情報に関わらず、該表示画面に表示するシンボル画像の表示形態を平面表示にする。
これにより、表示画面が有するシンボル画像が所定数を超える場合に、シンボル画像を立体表示にすることにより生じる視覚的な煩雑さを避けることができる。
【００１６】
また、本発明に係る表示制御方法は、一又は複数のシンボル画像を有する表示画面を表示部に表示させ、前記シンボル画像に対する指定を受け付ける表示制御方法において、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出すステップと、前記シンボル表示情報による表示形態が、前記画面表示情報の表示形態と異なるシンボル画像を、該シンボル表示情報による表示形態で表示することを決定するステップとを有することを特徴とする。
【００１７】
本発明にあっては、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出す。前記シンボル表示情報による表示形態が、前記画面表示情報の表示形態と異なるシンボル画像を、該シンボル表示情報による表示形態で表示することを決定する。
【００１８】
また、本発明に係るコンピュータプログラムは、表示装置に一又は複数のシンボル画像を表示させる表示制御をコンピュータに実行させるためのコンピュータプログラムであって、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出すステップと、前記シンボル表示情報による表示形態が、前記画面表示情報の表示形態と異なるシンボル画像を、該シンボル表示情報による表示形態で表示することを決定するステップとを前記コンピュータに実行させるためのコンピュータプログラムであることを特徴とする。
【００１９】
本発明にあっては、コンピュータが、表示画面が有するシンボル画像を立体表示及び平面表示の何れの表示形態で表示するかを示す画面表示情報、及び、前記表示画面が有するシンボル画像毎に立体表示及び平面表示の何れの表示形態で表示するかを示すシンボル表示情報を記憶部から読み出す。コンピュータが、前記シンボル表示情報による表示形態が、前記画面表示情報の表示形態と異なるシンボル画像を、該シンボル表示情報による表示形態で表示することを決定する。
【００２０】
また、本発明に係る記録媒体は、本発明のコンピュータプログラムを記録したことを特徴とする。
【発明の効果】
【００２１】
本発明によれば、指定を受け付ける画像の表示形態を平面表示と立体表示との何れかに好適に決定する表示制御装置、表示制御方法、コンピュータプログラム、及び、記録媒体を提供することができる。
【図面の簡単な説明】
【００２２】
【図１】本実施の形態に係る画像処理装置の機能構成を示すブロック図である。
【図２】表示部が表示する表示画面の例を示す図である。
【図３】画面表示情報及びシンボル表示情報の例を示す図である。
【図４】本実施の形態に係る表示制御方法の手順を示すフローチャートである。
【図５】表示部に表示される画面の例を示す図である。
【図６】表示画面の生成と表示を行う処理の手順を示すフローチャートである。
【図７】表示部が表示する表示画面の例を示す図である。
【図８】本実施の形態に係るコンピュータのハードウェア構成の例を示す図である。
【発明を実施するための形態】
【００２３】
以下、本発明に係る実施の形態を図面に基づいて詳述する。なお、以下の実施の形態では、画像処理装置に係る表示制御装置及び表示制御方法の例について説明するが、本発明の実施の形態は、この例に限らない。指定を受け付ける画像の平面表示（以下、「２Ｄ表示」という。）及び立体表示（以下、「３Ｄ表示」という。）を好適に切り替える表示制御装置及び表示制御方法であればよい。以下の実施の形態では、指定を受け付けるシンボル画像としてアイコンを例に説明する。シンボル画像は、情報が抽象化された画像の他に、文字により情報を表す画像でもよい。
【００２４】
図１は、本実施の形態に係る画像処理装置の機能構成を示すブロック図である。図１の画像処理装置１は、入力される画像データを画像処理し印刷する。画像処理装置１は、操作部３、画像入力部４、及び、画像形成部５が接続されている。
【００２５】
操作部３は、操作者により画像処理装置１に対する指示等が入力され、画像処理装置１が生成する表示画面が表示される。操作部３は、入力部３１と表示部３２とを有する。入力部３１は、操作者が操作することにより指示等が入力される。表示部３２は、画像処理装置１の状態、画像処理装置１に設定されている情報等が表示される。
【００２６】
図２は、表示部３２が表示する表示画面の例を示す図である。図２の表示画面Ｐ１は、複数のアイコンを含む。それぞれのアイコンは、３Ｄ表示されている。表示画面Ｐ１には、２Ｄ表示の画像も含まれている。なお、表示部３２が表示する表示画面に含まれるアイコンの表示形態は、２Ｄ表示又は３Ｄ表示である。
【００２７】
図１に戻り、画像入力部４は、媒体上に形成されている画像を光学的に読み取って画像データを生成する。画像入力部４が生成する画像データは、画像処理装置１に入力される。画像形成部５は、画像処理装置１の指示に基づいて、媒体上に画像を印刷する。
【００２８】
画像処理装置１は、制御部１０、情報記憶部２０、画面生成部３０、記憶部４０、及び、画像処理部５０を有する。
【００２９】
画面生成部３０は、表示部３２が表示する表示画面を生成する。画面生成部３０は、制御部１０から、画面に含まれているアイコンの識別情報、及び、アイコン毎の表示形態に係る情報を与えられる。画面生成部３０は、与えられた情報に基づいて、表示画面を生成する。画面生成部３０は、また、記憶部４０に記憶されている画像データから、表示部３２に表示するプレビュー画像を生成する。
【００３０】
記憶部４０は、画像入力部４から入力される画像データを記憶する。記憶部４０は、さらに、画像処理部５０が処理した画像データを記憶する。
【００３１】
画像処理部５０は、画像入力部４から入力され記憶部４０に記憶されている画像データに対する画像処理を行い、画像形成部５に出力する。画像処理部５０は、色空間変換、下色除去、階調補正、及び、中間調処理等の画像処理を行う。画像処理部５０は、また、拡大、縮小、及び、回転等の画像処理を行う。
【００３２】
制御部１０は、画像処理装置１の各部の制御を行う。制御部１０は、操作部３から入力される指示を受け付ける。制御部１０は、受け付けた指示に基づいて、画像データの処理等を行う。制御部１０は、操作部３が有する表示部３２に表示する画面が有するアイコンの表示形態を制御する。
【００３３】
制御部１０は、受付部１１、及び、決定部１２を有する。受付部１１は、操作部３から入力される指示を受け付ける。受付部１１が受け付ける指示は、表示部３２に表示される画面が有するアイコンに対する指定を含む。
【００３４】
決定部１２は、表示部３２に表示する画面を決定する。より詳細には、画面に含まれているアイコンと、アイコン毎の表示形態を決定する。決定部１２は、情報記憶部２０が記憶するアイコンの表示形態に係る情報に基づいて、アイコン毎の表示形態を決定する。
【００３５】
情報記憶部２０は、表示部３２が表示する表示画面の情報を記憶する。情報記憶部２０が記憶する情報は、表示画面毎に、表示画面に含まれるアイコンの識別情報、及び、アイコンのそれぞれを３Ｄ表示するか２Ｄ表示するかの表示形態に係る情報を含む。
【００３６】
図３は、情報記憶部２０が記憶する画面表示情報及びシンボル表示情報の例を示す図である。図３Ａは、表示部３２に表示させるメニュー画面毎に表示形態が対応づけられている画面表示情報の例を示す図である。図３Ａの画面表示情報は、「基本操作画面」、「倍率設定画面」、「濃度設定画面」、及び、「用紙設定画面」に対し、２Ｄ表示又は３Ｄ表示の表示形態が対応づけられている。
【００３７】
図３Ｂは、アイコン毎に、表示形態が対応づけられているシンボル表示情報の例を示す図である。図３Ｂのシンボル表示情報は、「倍率アイコン」、「濃度アイコン」、及び、「用紙アイコン」のそれぞれに対し、３Ｄ表示の表示形態が対応づけられている。
【００３８】
図４は、本実施の形態に係る表示制御方法の手順を示すフローチャートである。図４の手順は、例えば、画像処理装置１の電源が投入された後に、基本操作画面を表示するための処理が開始された時、又は、操作者が入力部３１から、基本操作画面を表示する指示を入力した時から開始される。
【００３９】
図４では、先ず、基本操作画面の生成と表示が行われる（ステップＳ１１）。これにより、表示部３２に、基本操作画面が表示される。ここで表示される基本操作画面は、例えば、図２の表示画面Ｐ１である。表示部３２に表示された基本操作画面に基づいて、操作者が入力部３１から指定することにより、受付部１１が、入力部３１から入力された指定を受け付ける（ステップＳ１２）。
【００４０】
決定部１２は、指定を受け付けたアイコンが、倍率アイコンか否かを判定する（ステップＳ２１）。倍率アイコンの場合（ステップＳ２１：ＹＥＳ）には、決定部１２は、倍率アイコンを２Ｄ表示することを決定する（ステップＳ２２）。
【００４１】
表示部３２が、倍率アイコンを２Ｄ表示する（ステップＳ２３）。より詳細には、画面生成部３０が、ステップＳ１１で生成した基本操作画面のうち、倍率アイコンが２Ｄ表示に変えられた新たな表示画面を生成し、表示部３２が、生成された表示画面を表示する。      
【００４２】
図５は、表示部３２に表示される画面の例を示す図である。図５の表示画面Ｐ２は、図２の表示画面Ｐ１が有するアイコンのうち、倍率アイコンが指定されることにより、更新された表示画面の例である。表示画面Ｐ２は、倍率アイコンの表示形態が３Ｄ表示から２Ｄ表示に変えられている。続いて、倍率設定画面の生成と表示が行われる（ステップＳ２４）。
【００４３】
一方、指定を受け付けたアイコンが、倍率アイコンでは無い場合(ステップＳ２１：ＮＯ)には、決定部１２は、指定を受け付けたアイコンが、濃度アイコンか否かを判定する（ステップＳ３１）。濃度アイコンの場合（ステップＳ３１：ＹＥＳ）には、決定部１２は、濃度アイコンを２Ｄ表示することを決定する（ステップＳ３２）。表示部３２が、濃度アイコンを２Ｄ表示する（ステップＳ３３）。より詳細には、画面生成部３０が、ステップＳ１１で生成した基本操作画面のうち、濃度アイコンが２Ｄ表示に変えられた新たな表示画面を生成し、表示部３２が、生成された表示画面を表示する。続いて、濃度設定画面の生成と表示が行われる（ステップＳ３４）。
【００４４】
また、指定を受け付けたアイコンが、濃度アイコンでは無い場合(ステップＳ３１：ＮＯ)には、決定部１２は、指定を受け付けたアイコンが、用紙アイコンか否かを判定する（ステップＳ４１）。用紙アイコンの場合（ステップＳ４１：ＹＥＳ）には、決定部１２は、用紙アイコンを２Ｄ表示することを決定する（ステップＳ４２）。表示部３２が、用紙アイコンを２Ｄ表示する（ステップＳ４３）。より詳細には、画面生成部３０が、ステップＳ１１で生成した基本操作画面のうち、用紙アイコンが２Ｄ表示に変えられた新たな表示画面を生成し、表示部３２が、生成された表示画面を表示する。続いて、用紙設定画面の生成と表示が行われる（ステップＳ４４）。
【００４５】
ステップＳ２４、Ｓ３４、Ｓ４４の処理の後、又は、指定を受け付けたアイコンが、用紙アイコンでも無い場合（ステップＳ４１：ＮＯ）には、決定部１２及び画面生成部３０は、新たな表示画面の生成と表示に係る処理を行わず、処理を終了する。
【００４６】
図６は、表示画面の生成と表示を行う処理の手順を示すフローチャートである。図６の処理は、図４の基本操作画面の生成と表示（ステップＳ１１）、倍率設定画面の生成と表示（ステップＳ２４）、濃度設定画面の生成と表示(ステップＳ３４)、及び、用紙設定画面の生成と表示（ステップＳ４４）で実行される。図６の説明において、「表示画面」は、例えば、「基本操作画面」、「倍率設定画面」、「濃度設定画面」、及び、「用紙設定画面」のそれぞれである。
【００４７】
先ず、制御部１０が、生成する表示画面に含まれているアイコンの情報を読み出す（ステップＳ５１）。ここで読み出されるアイコンの情報は、アイコンの数の情報、又は、アイコンの識別情報である。この情報は、記憶部４０又は情報記憶部２０に記憶されている。
【００４８】
決定部１２は、読み出されたアイコンの情報に基づいて、表示画面に含まれているアイコンの数が、所定数を超えるか否かを判定する（ステップＳ５２）。所定数を超える場合（ステップＳ５２：ＹＥＳ）には、決定部１２は、表示画面が有するアイコンを２Ｄ表示する決定をし（ステップＳ５３）、処理をステップＳ５９へ進める。
【００４９】
一方、表示画面に含まれているアイコンの数が、所定数を超えない場合（ステップＳ５２：ＮＯ）には、決定部１２は、情報記憶部２０から、表示画面に含まれているアイコンのシンボル表示情報を読み出す（ステップＳ５４）。決定部１２は、さらに、表示画面に対応する画面表示情報を読み出す（ステップＳ５５）。
【００５０】
決定部は、読み出した画面表示情報による表示形態が２Ｄ表示であるか否かを判定する（ステップＳ５６）。２Ｄ表示である場合（ステップＳ５６：ＹＥＳ）には、決定部１２は、ステップＳ５４で読み出したシンボル表示情報による表示形態が３Ｄ表示のアイコンを３Ｄ表示することを決定し、その他のアイコンを２Ｄ表示することを決定する（ステップＳ５７）。
【００５１】
一方、画面表示情報による表示形態が２Ｄ表示では無い場合（ステップＳ５６：ＮＯ）には、決定部１２は、ステップＳ５４で読み出したシンボル表示情報による表示形態が２Ｄ表示のアイコンを２Ｄ表示することを決定し、その他のアイコンを３Ｄ表示することを決定する（ステップＳ５８）。
【００５２】
画面生成部３０は、決定部１２の決定に基づいて、表示画面を生成する（ステップＳ５９）。表示部３２が、画面生成部３０が生成した表示画面を表示する（ステップＳ６０）。
【００５３】
図７は、表示部３２が表示する表示画面の例を示す図である。図７は、基本操作画面、倍率アイコンが指定された後の画面、倍率設定画面の３つの表示画面を示す。基本操作画面、及び、倍率アイコンが指定された後の画面は、それぞれ、図２の表示画面Ｐ１、及び、図５の表示画面Ｐ２と同一である。
【００５４】
倍率設定画面Ｐ３は、例えば、表示画面Ｐ１の倍率アイコンが指定され、表示画面Ｐ２が表示部３２に表示された後に、表示部３２に表示される。倍率設定画面Ｐ３は、アイコン数が多く、全てのアイコンを３Ｄ表示すると、見易さが失われる虞、操作者がアイコンの指定を誤る虞がある。そこで、倍率設定画面Ｐ３では、全てのアイコンを２Ｄ表示する。
【００５５】
図８は、本実施の形態に係るコンピュータ９１０のハードウェア構成の例を示す図である。図８のコンピュータ９１０は、ハードディスク装置（以下、「ＨＤＤ」という。）９３０、ドライブ装置９４０、入力部９５０、及び、表示部９６０が接続される。コンピュータ９１０は、コンピュータ９１０に接続される各部の制御、及び、コンピュータ９１０が出力するデータの処理を実行する。
【００５６】
コンピュータ９１０は、ＣＰＵ９０１、ＲＯＭ９０２、ＲＡＭ９０３、ＨＤＤインタフェース（以下、「ＨＤＤ−Ｉ／Ｆ」という。）９１３、ドライブインタフェース（以下、「ドライブＩ／Ｆ」という。）９１４、入力インタフェース（以下、「入力Ｉ／Ｆ」という。）９１５、表示インタフェース（以下、「表示Ｉ／Ｆ」という。）９１６、及び、通信インタフェース（以下、「通信Ｉ／Ｆ」）という。）９１９を有する。
【００５７】
ＣＰＵ９０１は、コンピュータプログラムを実行することにより、コンピュータ９１０の各部の制御、及び、コンピュータ９１０に接続される各部の制御を行う。ＣＰＵ９０１は、例えば、表示部９６０に表示する画面を生成する。より詳細には、表示部９６０に表示する画面に含まれるアイコンの識別情報をＲＡＭ９０３から読み出し、それぞれのアイコンを２Ｄ表示及び３Ｄ表示の何れかの表示形態で表示することを決定し、決定に基づく表示画面を生成する。
【００５８】
ＣＰＵ９０１が実行するコンピュータプログラムは、例えば、ＲＯＭ９０２、ＨＤＤ９３０、又は、ドライブ装置９４０に挿入される可搬性記録媒体９４１から読み出される。ＣＰＵ９０１が実行するコンピュータプログラムは、また、通信Ｉ／Ｆ９１９が接続されているネットワーク９９０を介して他の装置から送信され、ＨＤＤ９３０に格納された後に、ＲＡＭ９０３に展開されてもよい。
【００５９】
ＲＯＭ９０２は、例えば、ＣＰＵ９０１が実行するコンピュータプログラムを格納する。ＲＡＭ９０３は、ＣＰＵ９０１がコンピュータプログラムを実行することにより実現される機能により処理されるデータを格納する。例えば、可搬性記録媒体９４１から読み出される画面表示情報、及び、シンボル表示情報のテーブルを格納する。なお、このデータは、ＲＯＭ９０２に格納されてもよい。
【００６０】
ＨＤＤ−Ｉ／Ｆ９１３は、ＣＰＵ９０１の制御に基づいて、ＨＤＤ９３０に格納されるデータの入出力を行う。ドライブＩ／Ｆ９１４は、ドライブ装置９４０に挿入される可搬性記録媒体９４１に対するデータの入出力を行う。入力Ｉ／Ｆ９１５は、入力部９５０から入力される信号を受け付ける。表示Ｉ／Ｆ９１６は、表示部９６０に表示する画像データを出力する。
【００６１】
通信Ｉ／Ｆ９１９は、コンピュータ９１０からネットワーク９９０を介して他の装置とデータ又は制御信号を通信する際のインタフェースである。
【００６２】
ＨＤＤ９３０は、コンピュータ９１０が処理するデータを格納する。ＨＤＤ９３０は、例えば、通信Ｉ／Ｆ９１９から入力されるデータを格納する。ドライブ装置９４０は、可搬性記録媒体９４１が挿入されることにより、可搬性記録媒体９４１に対するデータの書き込み及び読み出しを行う。可搬性記録媒体９４１には、例えば、ＣＰＵ９０１が実行するコンピュータプログラムが格納される。
【００６３】
入力部９５０は、例えば、キーボード又はマウスであり、操作者が操作することよりコンピュータ９１０に対する指示等が入力される。表示部９６０は、ＣＰＵ９０１がコンピュータプログラムを実行することにより生成する画面を表示する。表示部９６０が表示する画面に含まれるアイコンは、２Ｄ表示又は３Ｄ表示の表示形態で表示される。
【００６４】
以上、発明を実施するための形態について説明を行ったが、本発明は、この発明を実施するための形態で述べた実施形態に限定されるものではない。本発明の主旨をそこなわない範囲で変更することが可能である。
【符号の説明】
【００６５】
１    画像処理装置
１０  制御部
１１  受付部
１２  決定部
２０  情報記憶部
３    操作部
３０  画面生成部
３１  入力部
３２  表示部
４    画像入力部
４０  記憶部
５    画像形成部
５０    画像処理部
９０１  ＣＰＵ
９０２  ＲＯＭ
９０３  ＲＡＭ
９１０  コンピュータ
９３０  ＨＤＤ
９４０  ドライブ装置
９４１  可搬性記録媒体
９５０  入力部
９６０  表示部
９９０  ネットワーク
【図１】
2012238037.tif 000003
【図２】
2012238037.tif 000004
【図３】
2012238037.tif 000005
【図４】
2012238037.tif 000006
【図５】
2012238037.tif 000007
【図６】
2012238037.tif 000008
【図７】
2012238037.tif 000009
【図８】
2012238037.tif 000010